(57)【要約】【課題】収容室に対して物品の出し入れを簡単に行うことが可能なコンテナなどに代表される多目的容器を提供する。【解決手段】コンテナ１０は、コンテナ本体１２と、該コンテナ本体１２の上面に形成された開口１７を覆う上蓋１１とを有する。コンテナ本体１２は、底板１４の周縁に外周壁２０が立設されてなる。外周壁２０は、４つの側壁を有する。前側壁２１の両端部３３それぞれには、伸長部３２が接合されており、その伸長部３２は、右側壁２３及び左側壁２４それぞれに連続して接合されている。伸長部３２は、例えばベローズ状に形成されており、伸長姿勢と収縮姿勢とに姿勢変化することができる。前側壁２１は、その下端を軸にして倒伏する姿勢と底板１４に対して起立する姿勢に姿勢変化可能に構成されており、伸長部３２は、前側壁２１の姿勢変化に追従して伸縮する。【選択図】図１
2008074453.tif 000002
【特許請求の範囲】
【請求項１】
上面に開口を有する多目的容器であって、
略矩形状に形成された底板と、
該底板の周縁に立設され、該底板とともに収容室を区画する外周壁と、
該外周壁の一部を構成し、該外周壁の立設方向と同方向に起立する起立姿勢と、該外周壁の外側へ倒伏する倒伏姿勢との間で姿勢変化可能に設けられた可動壁と、
該可動壁が上記起立姿勢に変化された際にその起立姿勢を保持する保持具とを具備する多目的容器。
【請求項２】
上記可動壁は、その壁面が略水平となる位置まで上記外周壁の外側へ倒伏する請求項１に記載の多目的容器。
【請求項３】
上記可動壁の両側端と上記外周壁とを連結する襠部をさらに備える請求項１または２に記載の多目的容器。
【請求項４】
上記襠部は、上記可動壁の姿勢変化に追従して伸縮する請求項３に記載の多目的容器。
【請求項５】
上記襠部が、ベローズ状に形成されている請求項４に記載の多目的容器。
【請求項６】
上記外周壁は、上記底板の各端縁それぞれに立設された四つの側壁からなり、
上記可動壁は、上記四つの側壁のうち、少なくとも一つの側壁を構成する請求項１から５のいずれかに記載の多目的容器。
【請求項７】
上記開口を開閉する蓋体と、
上記可動壁を除く他の側壁の上端と上記蓋体とを連結解除可能に連結する連結部材と、
上記可動壁の上端に設けられ、該可動壁が上記起立姿勢となったときに上記蓋体に重ね合わされる重合部とをさらに備える請求項６に記載の多目的容器。
【請求項８】
上記可動壁を除く三方の側壁の上端に沿って設けられた略Ｕ字状の補強フレームと、
上記可動壁の上端に沿って設けられた補強バーとをさらに備え、
上記補強バーは、上記可動壁が上記起立姿勢に変化された際に上記補強フレームの両端部間に配置されて、該両端部同士が接近することを防止するものである請求項６または７に記載の多目的容器。
【請求項９】
上記補強フレームの両端部は、上記補強バーが安定的に当接し得る座を備えている請求項８に記載の多目的容器。
【請求項１０】
上記補強フレームは、断面が円形の線材からなり、
上記座は、上記線材の端部が側壁に沿って環状に湾曲されることにより形成されてなる請求項９に記載の多目的容器。
【発明の詳細な説明】
【技術分野】
【０００１】
本発明は、釣り道具などのレジャー用具や農具、用土、資材等の物品を収容する多目的容器に関し、特に、多目的容器の収容室に上記物品を簡単に出し入れすることが可能な機構に関する。
【背景技術】
【０００２】
物品の輸送や貯蔵の効率化を図るため、従来、複数の物品をコンテナと称される容器にひとまとめに収容して輸送または貯蔵することが行われている。物品を収容するコンテナとしては、例えば、特許文献１及び特許文献２に開示された折畳可能なコンテナが公知である。このコンテナは、上面に開口が設けられており、この開口から物品が出し入れされるようになっている。上記コンテナは、折り畳まれることによってコンパクトになるため、収容物が無い場合は、コンテナの保管場所を省減することができるというメリットがある。
【０００３】
【特許文献１】特開２０００−７２１４１号公報
【特許文献２】特開２００１−１０６３５号公報
【発明の開示】
【発明が解決しようとする課題】
【０００４】
前掲の各特許文献に開示されたコンテナは、折畳可能といえども、物品を収容する際は、該コンテナは容器状に組み立てられて使用される。したがって、例えば、輸送車の荷台の如く、地面よりも高い位置にコンテナが載置された状態で該コンテナに物品を収容する場合は、作業者は、地面から荷台の床面高さよりも高位置、つまり、コンテナの上面高さまで物品を持ち上げなければ該物品をコンテナに収容することができない。また、コンテナから物品を取り出す場合は、作業者は、コンテナ内に収容された物品を荷台の床面高さよりも高いコンテナの上面まで持ち上げなければ上記開口から物品を取り出すことができない。このような持ち上げ作業はきわめて煩雑であり、作業効率を著しく低下させる要因となり、問題である。
【０００５】
ところで、コンテナには、工業製品などの輸送に用いられる大型のコンテナと、乗用車などの荷室に載置して使用される小型のコンテナ（以下「車載用コンテナ」と称する。）とに分別される。上述の問題は、いずれのコンテナにも生じ得るものであるが、特に、後者の車載用コンテナには、以下のような問題が生じ得る。
【０００６】
上記車載用コンテナは、主として、水滴や土、油などの汚れが付着した複数の用具（例えば、釣り道具、キャンプ道具、農具、工具など）をひとまとめにして収容する場合に用いられる。この車載用コンテナを用いることで、効率よく用具を収容することが可能となることに加え、上記用具に付着した汚れから自動車の荷室を保護することができる。しかしながら、この車載用コンテナに上記用具を収容するために、荷室の床面高さよりも高い車載用コンテナの上面位置まで上記用具を持ち上げると、用具を持ち上げた勢いで該用具に付着していた水滴や土などの汚れが飛散して、荷室や座席、内装パネルなどを汚してしまうことがあり、問題である。
【０００７】
そこで、本発明は上記事情に鑑みてなされたものであり、その目的とするところは、収容室に対して物品の出し入れを簡単に行うことが可能なコンテナなどに代表される多目的容器を提供することにある。
【課題を解決するための手段】
【０００８】
(1) 上記目的が達成されるため、本発明に係る多目的容器は、略矩形状に形成された底板と、該底板の周縁に立設され、該底板とともに収容室を区画する外周壁と、該外周壁の一部を構成し、該外周壁の立設方向と同方向に起立する起立姿勢と、該外周壁の外側へ倒伏する倒伏姿勢との間で姿勢変化可能に設けられた可動壁と、該可動壁が上記起立姿勢に変化された際にその起立姿勢を保持する保持具とを具備する多目的容器として構成される。この多目的容器は、上面に開口が設けられている。
【０００９】
多目的容器は、底板と外周壁とによって区画された収容室を有する。この多目的容器は、上記収容室に種々の物品を収容する用途として用いられる。多目的容器の外周壁に設けられた可動壁は、保持具によって上記起立姿勢が保持されている。この保持具による保持が解除されると、可動壁は、上記起立姿勢から上記倒伏姿勢に姿勢変化される。すなわち、可動壁が外周壁の外側に倒伏される。
【００１０】
このように可動壁が倒伏されたことにより、該可動壁が設けられていた外周壁に収容室に通じる開口が表れる。したがって、仮に、多目的容器が地面より高い位置に載置されていたとしても、作業者は、多目的容器の上面に設けられた開口を介することなく、外周壁に表れた開口から収容室内に物品を収容することができ、また、該開口から収容室内に収容されていた物品を取り出すことができる。
【００１１】
(2) 上記可動壁は、その壁面が略水平となる位置まで上記外周壁の外側へ倒伏するものであることが好ましい。
【００１２】
この構成によれば、可動壁に邪魔されることなく、物品を収容室に容易に出し入れすることができる。
【００１３】
(3) 本発明の多目的容器は、上記可動壁の両側端と上記外周壁とを連結する襠部をさらに備えていることが望ましい。
【００１４】
このような襠部が設けられることで、例えば、可動壁が起立姿勢から倒伏姿勢に変化された際に、収容室に収容された物品が押し出されたとしても、押し出された物品は襠部によって支えられる。そのため、上記物品が可動壁の両側端から外部にこぼれ落ちることが防止される。また、例えば、水滴や土が付着した物品が収容室に収容されていたとしても、水滴や土が外部に漏れ出して周囲を汚すことはない。
【００１５】
(4) 上記襠部は、上記可動壁の姿勢変化に追従して伸縮するものである。
【００１６】
このように構成されることにより、可動壁が倒伏姿勢に変化されると襠部は伸長し、可動壁が起立姿勢に変化されると際に襠部は収縮する。これにより、倒伏姿勢から起立姿勢への可動壁の姿勢変化が円滑に行われる。
【００１７】
(5) 上記襠部が、ベローズ状に形成されていることが考えられる。
【００１８】
ベローズ状に形成された襠部であれば、可動部が取り得る姿勢に応じて該襠部は容易に伸縮される。
【００１９】
(6) 上記外周壁は、上記底板の各端縁それぞれに立設された四つの側壁からなり、上記可動壁は、上記四つの側壁のうち、少なくとも一つの側壁を構成するものであることが考えられる。
【００２０】
この構成であれば、側壁の下端、すなわち、底板と側壁との接合部を軸として一つの側壁全体が該側壁の外側へ向けて倒伏される。したがって、多目的容器の載置面に物品を持ち運びさえすれば、その後は、該載置面から物品を持ち上げることなく水平方向に移動させるという簡単な作業で、該物品を収容室内に収容することができる。また、多目的容器の収容室から物品を水平方向に移動させるだけで、収容室から物品を容易に取り出すことができる。
【００２１】
(7) 本発明の多目的容器は、その上面に有する開口を開閉する蓋体と、上記可動壁を除く他の側壁の上端と上記蓋体とを連結解除可能に連結する連結部材と、上記可動壁の上端に設けられ、該可動壁が上記起立姿勢となったときに上記蓋体に重ね合わされる重合部とをさらに備えてなるものでもある。
【００２２】
水分が付着した物品が収容室に収容されると、物品に付着した水分が滴下して収容室の底面に水が溜まる場合がある。この場合、多目的容器の輸送中に該多目的容器が揺らされて、底面に溜まった水が跳ね上がり、上記開口から外部に飛び出すおそれがある。本多目的容器は、上記開口に蓋体が設けられているため、上記開口から飛び出す水の大半は上記蓋体で阻止することができる。しかしながら、可動壁は上述の如く起立姿勢と倒伏姿勢とに姿勢変化するものであるため、該可動壁と蓋体とは連結されていない。したがって、上記開口から飛び出す水の大半が上記蓋体で阻止されるとしても、蓋体と可動壁との隙間から飛び出す水は上記蓋体では阻止することができない。本多目的容器には、上述の如く、可動壁の上端に重合部が設けられている。この重合部によって上記隙間が塞がれるため、上記隙間からの水の飛び出しは、該重合部によって阻止される。
【００２３】
(8) 本多目的容器は、上記可動壁を除く三方の側壁の上端に沿って設けられた略Ｕ字状の補強フレームと、上記可動壁の上端に沿って設けられた補強バーとをさらに備えてなるものである。この補強バーは、上記可動壁が上記起立姿勢に変化された際に上記補強フレームの両端部間に配置されて、該両端部同士が接近することを防止するものである。
【００２４】
上記補強フレームが設けられることにより、多目的容器の剛性が向上されるので、該多目的容器の使い勝手が一層良くなる。なお、この補強フレームはＵ字状に形成されているため、多目的容器に外力が付加された場合に補強フレームの先端部側が変形しやすい傾向にある。しかし、可動壁が起立姿勢となったときには、補強バーが補強フレームの両端部間に配置されることにより、補強フレームの変形が抑えられる。したがって、多目的容器の輸送中に該多目的容器が揺らされた場合、或いは多目的容器が持ち上げられた場合であっても、多目的容器は大きく変形しないため、該変形による収容物の損壊や変形が防止される。
【００２５】
(9) 上記補強フレームの両端部は、上記補強バーが安定的に当接し得る座を備えていることが好ましい。
【００２６】
この座が設けられることにより、補強バーは、確実に且つ安定的に補強フレームの両端部間に配置される。したがって、多目的容器が大きく揺らされた場合、或いは多目的容器が持ち上げられた場合でも、補強バーが補強フレームから外れることが防止される。
【００２７】
(10) 上記補強フレームは、断面が円形の線材からなり、上記座は、上記線材の端部が側壁に沿って環状に湾曲されることにより形成されたものである。
【００２８】
補強フレームは上記線材が曲げ加工されることによって構成される。そのため、補強フレームが安価に製造される。また、線材が環状に湾曲されることにより、上記座は、中央に孔が設けられたドーナツ状に形成される。しかも、線材の断面が円形であるから、上記孔を区画する面は、該孔の周囲から内側へ滑らかに入り込む曲面となる。したがって、上記蓋部材が閉じられることによって上記補強バーと上記座とが相対的に接近した場合は、補強バーが上記曲面に沿って座の内側に案内される。その結果、補強バーは、一層安定して補強フレームの両端部間に配置される。
【発明の効果】
【００２９】
本発明の多目的容器によれば、可動壁が起立姿勢から倒伏姿勢に姿勢変化して、外周壁の外側に該可動壁が倒されることにより、可動壁が設けられた外周壁に開口が表れるため、該開口から収容室に収容された物品を取り出したり、該開口から収容室に物品を収容したりすることができる。これにより、わざわざ多目的容器の上面の開口まで物品を持ち上げることなく、外周壁から簡単に物品を出し入れすることができる。
【発明を実施するための最良の形態】
【００３０】
以下、適宜図面が参照されつつ、好ましい実施形態に基づいて本発明が詳細に説明される。なお、以下の実施形態は本発明が具体化された一例にすぎず、本発明の要旨を変更しない範囲で、各実施形態が適宜変更され得ることは勿論である。
【００３１】
《第１実施形態》
図１及び図２は、本発明の第１実施形態に係るコンテナ１０（本発明の多目的容器の一例）の斜視図であって、図１は、開口１７に対して上蓋１１（蓋体の一例）が閉じられた状態を示し、図２は、開口１７に対して上蓋１１が開けられた状態を示している。このコンテナ１０は、例えば、主として、自動車（例えば普通車や軽自動車などの乗用車）の荷室に載置して使用されるものであり、コンテナ１０の内部に設けられた収容室に、釣り道具やキャンプ道具などのレジャー用具、農具や工具などの作業用具、用土や建材などの資材等がひとまとめにされて収容される。以下、本発明の第１実施形態に係るコンテナ１０の構成について詳述される。
【００３２】
コンテナ１０は、図１及び図２に示されるように、コンテナ本体１２と、該コンテナ本体１２の上面に設けられた上蓋１１とを備えている。コンテナ本体１２は、上面に開口１７（図２参照）を有する容器状に形成されている。このコンテナ本体１２には、例えば、釣り餌や水滴が付着した釣り道具、土や泥が付着した農具などが収容された場合でも、コンテナ１０が載置された周辺外部へ水や土などの汚れが漏れ出さないように、防水構造が採用されている。コンテナ本体１２の形状は、特に限定されることはないが、本第１実施形態では、幅方向に長い直方体形状が採用されている。このように、直方体形状に形成されることで、コンテナ本体１２の剛性を高く維持することができる。また、コンテナ本体１２のサイズは、特に限定されることはなく、設置場所や主となる収容物などに応じたサイズを採用することが可能である。
【００３３】
コンテナ本体１２は、略矩形に形成された底板１４と、この底板１４の周縁に立設された外周壁２０とを備えている。コンテナ本体１２は、上記底板１４と上記外周壁２０とによって、釣り道具などの用具が収容される収容室が区画されている。外周壁２０は、シート状の部材（シート部材）が概ね筒状に形成されてなる。この外周壁２０の下端が上記底板１４の周縁に溶着されることによって、内部に収容室を備えたコンテナ本体１２が形成され、さらに、外周壁２０の上端部１６（図２参照）によって開口１７（図２参照）が区画される。底板１４及び外周壁２０は、合成樹脂製のシート部材で形成されている。合成樹脂としては、例えば、エチレン酢酸ビニル共重合体（ＥＶＡ）が好適に採用される。もちろん、ＥＶＡ以外の合成樹脂、例えば、熱可塑性の スチロール樹脂、ポリエチレン、ポリプロピレン、メタクリル樹脂等を底板１４及び外周壁２０の材質として採用することも可能である。底板１４の肉厚寸法は、０．７５ｍｍ〜２．０ｍｍ程度に設定され、外周壁２０の肉厚寸法も、０．７５ｍｍ〜２．０ｍｍ程度に設定され得る。なお、本第１実施形態では、底板１４及び外周壁２０を合成樹脂で構成することとしたが、例えば、人工繊維或いは天然繊維に防水剤或いは防水透湿剤をコーティングして形成されたシートで底板１４及び外周壁２０を構成してもよい。
【００３４】
図２に示されるように、外周壁２０は、４つの側壁２１〜２４を有する。具体的には、コンテナ本体１２の前面を構成する前側壁２１（可動壁の一例）と、後背面を構成する後側壁２２と、正面から見て右側面を構成する右側壁２３と、左側面を構成する左側壁２４とを有する。これら側壁２１〜２４は、いずれも矩形状を呈しており、その高さは、いずれも同じ寸法に設定されている。
【００３５】
図３は、図１における切断線III−IIIの断面図であり、左側壁２４の上部の構造及び上蓋１１との取付構造を示している。なお、右側壁２３の上部の構造は左側壁２４の上部の構造と同様であるため、ここでは右側壁２３の上部の構造の説明は省略される。左側壁２４の上部は、外周壁２０を構成するシート部材が左側壁２４の上端１６Ｄでコンテナ本体１２の外側に折り返されてなる。そして、この折り返された部分は、左側壁２４の上端側で、左側壁２４の外面の所定位置４７に溶着されている。上記所定位置４７における溶着箇所は、左側壁２４の幅方向に全域に渡って連続して設けられていてもよいし、或いは、所定間隔を隔てて間欠的に設けられていてもよい。同図に示されるように、本第１実施形態では、上記シート部材は、左側壁２４の上端１６Ｄで、後述されるＵ字フレーム６０（補強フレームの一例）に巻き掛けられるようにして折り返されている。このＵ字フレーム６０は、上端部１６のうち、後側壁２２、右側壁２３、左側壁２４それぞれの上端１６Ｂ，１６Ｃ，１６Ｄに沿って配設されている。上記Ｕ字フレーム６０によって、コンテナ本体１２の開口１７の周縁部の剛性が向上し、その結果、コンテナ１０が多目的容器として一層使い易いものとなっている。
【００３６】
右側壁２３及び左側壁２４は、略矩形状に形成された底板１４の一対の短辺縁２６それぞれに、鉛直上方へ向けて立設されている。これら右側壁２３及び左側壁２４それぞれに、把手２８が設けられている。なお、図１及び図２では、左側壁２４の把手２８は図示されていない。把手２８は、主として、ポリプロピレン（ＰＰ）等の繊維で構成されたベルト２９と、該ベルト２９の中央部分に巻回されたゴムシート３０とから構成されている。この把手２８が設けられているため、コンテナ１０の持ち運びが容易となる。また、右側壁２３及び左側壁２４には、後述される固定具４１（保持具の一例）の雄ボタン４３と係合する雌ボタン４４（図４参照）が設けられている。
【００３７】
図１及び図２に示されるように、コンテナ本体１２には、上蓋１１が取り付けられている。この上蓋１１は、コンテナ本体１２の上面に形成された開口１７（図２参照）を覆うようにして取り付けられている。上蓋１１は、上記開口１７を開閉するものであり、該開口１７を開放する状態（開放姿勢）と該開口１７を閉塞する状態（閉塞姿勢）とに姿勢変化される。上蓋１１は、上記コンテナ本体１２と同様に、合成樹脂製のシート部材で構成されている。合成樹脂としては、例えば、エチレン酢酸ビニル共重合体（ＥＶＡ）が好適に採用される。
【００３８】
後側壁２２は、略矩形状に形成された底板１４が有する一対の長辺縁２５のうち、後背面側の長辺縁２５に、鉛直上方へ向けて立設されている。この後側壁２２の上端に沿って、上蓋１１がヒンジ結合されている。具体的には、後側壁２２の幅と略同じ長さの合成樹脂製のシート片（不図示）の上端側が上蓋１１の端縁に縫い付けられており、該シート片の下端側が後側壁２２の上端に縫い付けられることで、上蓋１１とコンテナ本体１２とがヒンジ結合される。このように、上蓋１１とコンテナ本体１２とがヒンジ結合されることによって、後側壁２２の上端側を軸として、上記コンテナ本体１２の開口１７に対して上蓋１１が回動可能となり、上蓋１１は、前述のような姿勢変化が可能となる。なお、上蓋１１がヒンジ結合される位置は後側壁２２の上端に限られず、例えば、上蓋１１が、右側壁２３或いは左側壁２４のいずれかの上端でヒンジ結合されたものであってもよい。
【００３９】
図１及び図２に示されるように、上蓋１１は、本発明の連結部材の一例であるスライドファスナー（以下「ファスナー」と略称する。）３５を介して、右側壁２３及び左側壁２４の上端に連結される。ファスナー３５は、右側壁２３及び左側壁２４の上端に沿ってそれぞれ設けられている。ファスナー３５は、図１に示されるように、スライダー３７を有する。このスライダー３７が所定方向にスライドされることにより、上蓋１１とコンテナ本体１２とがファスナー３５により連結され、上記所定方向と反対の方向にスライドされることにより、上蓋１１とコンテナ本体１２との連結が解除される。
【００４０】
ファスナー３５の一方の端部には下止め金具（不図示）が設けられている。この下止め金具は、上記シート片の裏側に収められている。ファスナー３５は、右側壁２３及び左側壁２４それぞれの上端１６Ｃ，１６Ｄの前面側端部まで延設されている。一方、ファスナー３５の他方の端部には、上止め金具３６が設けられている。この上止め金具３６によって、スライダー３７のスライド移動が規制される。なお、スライダー３７には、引き手３８が取り付けられている。これにより、スライダー３７の操作性が高められる。
【００４１】
右側壁２３及び左側壁２４それぞれの前面側には、図２に示されるように、ベローズ状（蛇腹状）に形成された伸縮部３２（襠部の一例）が設けられている。この伸縮部３２は、外周壁２０と一体に形成されており、例えば、外周壁２０を構成する合成樹脂製のシート部材を幾重にも折り重ねることにより形成することができる。伸縮部３２の後背面側は、右側壁２３及び左側壁２４それぞれに接合されており、伸縮部３２の前面側は、前側壁２１の幅方向の両端部３３に接合されている。伸縮部３２は、合成樹脂シートが伸ばされた伸長姿勢（図４（ｃ）参照）と合成樹脂シートが折り畳まれて縮められた収縮姿勢（図４（ａ）参照）とに姿勢変化することが可能に構成されている。なお、図１及び図２には、収縮姿勢に保持された伸縮部３２が示されている。同図に示される収縮姿勢において、伸縮部３２の溝深さは、該伸縮部３２の上端側が深く、そして、コンテナ本体１２の奥底に向かうにつれて浅く設定されている。
【００４２】
前側壁２１は、底板１４の一対の長辺縁２５のうち、前面側の長辺縁２５に、鉛直上方へ向けて立設されている。前側壁２１の上端には、屈曲部４０（重合部の一例）が設けられている。この屈曲部４０は、前側壁２１の上端が延設された部分がコンテナ本体１２の内部側へ直角に折り曲げられることにより形成される。屈曲部４０は、前側壁２１の上端の幅全域に渡って設けられている。屈曲部４０は、前側壁２１が長辺縁２５から鉛直上方へ起立した姿勢（以下「起立姿勢」と称する。）を維持している状態で（図１及び図２参照）、開口１７が上蓋１１で閉塞された際に、平面視で上記上蓋１１と重ね合わされる。屈曲部４０の裏面７２には、後述される補強バー７０（図６参照）が設けられている。この補強バー７０によって、前側壁２１の上端の剛性が高められている。
【００４３】
前側壁２１は、該前側壁２１の概ね下端側を軸として外周壁２０の外側へ撓んで倒れ伏す（倒伏する）よう構成されている。例えば、前側壁２１が可撓性を有する合成樹脂製のシート部材で形成されている場合は、前側壁２１が手前側へ引っ張られることにより外周壁２０の外側へ撓まされて、前側壁２１の両端部３３に連続して接合された上記伸縮部３２を襠として、当該前側壁２１は外周壁２０の外側方向へ倒れ伏される。図４には、前側壁２１が取り得る姿勢が示されたコンテナ１０の側面図が示されている。なお、図４においては、把手２８は省略されている。本第１実施形態では、同図に示されるように、前側壁２１は、上記起立姿勢（図４（ａ）参照）と、該前側壁２１の壁面が水平となるまで（底板１４と同一の面となるまで）倒伏する姿勢（図４（ｃ）参照、以下「倒伏姿勢」と称する。）とに姿勢変化することができる。このとき、上記伸縮部３２は、前側壁２１の姿勢変化、すなわち、上記起立姿勢から上記倒伏姿勢に至る姿勢変化に追従して伸縮される。具体的には、前側壁２１が上記起立姿勢である場合は、図４（ａ）に示されるように、上記伸縮部３２は収縮される。また、前側壁２１が上記起立姿勢から上記倒伏姿勢に変化されると、上記伸縮部３２が次第に伸長され、前側壁２１が完全に上記倒伏姿勢となると、図４（ｃ）に示されるように、上記伸縮部３２は完全に伸長されて、中心角が略直角の扇形に変形する。
【００４４】
なお、本第１実施形態では、襠部の一例としてベローズ状に形成された伸縮部３２が採用されている。これは、外周壁２０の一部をベローズ状に加工することで容易に伸縮部３２を構成することができるためであるが、言うまでもなく、ローズ状の伸縮部３２に限られず、前側壁２１の姿勢変化に追従して伸び縮することができるものであれば如何なる形状のものでも、如何なる素材のものでも採用することができる。例えば、伸縮部３２をラバーシートに置き換えることも可能である。
【００４５】
図１、図２及び図４に示されるように、前側壁２１の両端部３３の近傍に、前述の固定具４１（保持具の一例）が設けられている。この固定具４１は、前側壁２１と右側壁２３及び左側壁２４それぞれとを連結して、前側壁２１の上記起立姿勢を保持するものである。この固定具４１は、前側壁２１の両端部３３から右側壁２３及び左側壁２４へ延出されたシート片４２と、該シート片４２の先端に設けられた雄ボタン４３とを有する。シート片４２は、合成樹脂で形成された短冊状のシート部材であり、可撓性を有する。シート片４２の基端４５が前側壁２１の表面に溶着されている。シート片４２の長さは、前側壁２１が上記起立姿勢のときに、右側壁２３及び左側壁２４それぞれに設けられた雌ボタン４４（図３参照）に届くように設定されている。雄ボタン４３は、雌ボタン４４と対をなして周知のドットボタンを構成する。具体的には、雄ボタン４３はスタッド部を備えており、雌ボタン４４のソケット部にスタット部が嵌め込まれることによって、雌ボタン４４と係合する。これら雄ボタン４３と雌ボタン４４とが係合することで、前側壁２１が右側壁２３及び左側壁２４に対して固定されて、上記起立姿勢が保持される。そして、雄ボタン４３と雌ボタン４４との係合が解除されると、前側壁２１が上記起立姿勢から上記倒伏姿勢に変化することが可能となる。
【００４６】
このように、本第１実施形態では、外周壁２０の一部を構成する前側壁２１が、図４（ａ）に示される起立姿勢と、図４（ｃ）に示される倒伏姿勢との間で姿勢変化可能に構成されているため、前側壁２１が上記倒伏姿勢に変化されると、外周壁２０の前面に開口が表れる。したがって、上記コンテナ１０に釣り道具や農具等の用具を収容する際に、該用具をコンテナ本体１２の上面に形成された開口１７まで持ち上げることなく、外周壁２０の前面の開口から容易に用具を出し入れすることができる。特に、乗用車の荷室に載置されたコンテナ１０に用具を収容する場合は、地面から乗用車の荷室高さよりも高い位置まで用具を持ち上げることを要しないため、作業者は簡単に用具をコンテナ１０に出し入れすることができる。
【００４７】
また、上述のコンテナ１０においては、前側壁２１は、その壁面が略水平となる位置まで、言い換えれば、コンテナ１０の載置面と同一の面となる位置まで倒伏されるため、作業者は、コンテナ１０の載置面から用具を水平に移動させるだけで、前側壁２１に邪魔されることなく、コンテナ１０に用具を容易に出し入れすることができる。
【００４８】
なお、前側壁２１が倒伏姿勢に変化されたときは、伸縮部３２が広げられて、該伸縮部３２が前側壁２１の両端部３３において当該前側壁２１の襠を構成する。そのため、前側壁２１が起立姿勢から倒伏姿勢に変化された際に、コンテナ１０の収容室に収容された用具が前側壁２１側へ押し出されたとしても、押し出された用具は伸縮部３２によって支えられる。したがって、前側壁２１の両端から用具が落下することが防止される。また、仮に、水滴や土が付着した用具が収容室に収容されていたとしても、水滴や土が外部に漏れ出して周囲を汚すこともない。
【００４９】
また、コンテナ１０の収容室に水が溜まっていたとしても、コンテナ１０の前側壁２１には屈曲部４０が設けられているため、コンテナ１０の輸送中にコンテナ１０が揺らされた場合でも、底面に溜まった水が跳ね上がって上蓋１１と前側壁２１との隙間から飛び出すことはない。
【００５０】
次に、コンテナ１０のフレーム構造について説明される。ここに、図５は、Ｕ字フレーム６０の構成を示す斜視図である。また、図６は、補強バー７０の構成を示す図であり、屈曲部４０の裏面７２の外観が示されている。
【００５１】
図５に示されるように、上記Ｕ字フレーム６０はＵ字状に形成されている。このＵ字フレーム６０は、例えば、ステンレススチール等の線材が屈曲加工されることにより形成され得る。Ｕ字フレーム６０の両端部６１には、補強バー７０（図６参照）が安定的に当接し得る座６２が形成されている。上述したように、Ｕ字フレーム６０は、Ｕ字状に湾曲された湾曲部６０Ｂが後側壁２２の上端１６Ｂに沿うように配設され、ストレート部６０Ｃが右側壁２３の上端１６Ｃに沿うように配設され、ストレート部６０Ｄが左側壁２４の上端１６Ｄに沿うように配設されている。そして、上記座６２が、上端１６Ｃ，１６Ｄの前側壁２１側の端部に位置するように配設される。
【００５２】
座６２は、Ｕ字フレーム６０の両端部６１の先端６３が右側壁２３及び左側壁２４それぞれに沿って環状に湾曲されることにより形成される。このように形成されたそれぞれの座６２には、その中心部に内径Ｄ１の孔６４が形成される。本第１実施形態では、Ｕ字フレーム６０として、断面が円形の線材が用いられる。したがって、Ｕ字フレーム６０の加工、詳細には、上記座６２の加工が容易となる。また、Ｕ字フレーム６０に右側壁２３、左側壁２４が巻き掛けられた際に、右側壁２３、左側壁２４の外面に現れるシルエット（輪郭）が球面となる。言い換えれば、右側壁２３、左側壁２４の外面に角が立たない。そのため、右側壁２３、左側壁２４におけるコンテナ本体１０の破損が軽減され得る。
【００５３】
上述したように、コンテナ１０は、前側壁２１が上記起立姿勢から上記倒伏姿勢に姿勢変化するよう構成されており（図４参照）、前側壁２１が倒伏姿勢に姿勢変化したときに、コンテナ本体１２の前面に開口が表れる。したがって、コンテナ本体１２の前側壁２１の剛性、特に前側壁２１の上端１６Ａ（図２参照）の剛性は、他の側壁の上端１６Ｂ，１６Ｃ，１６Ｄの剛性に比べて低い。そのため、例えばコンテナ本体１２を持ち上げたり、コンテナ本体１２に多くの用具を収容すると、コンテナ本体１２は、右側壁２３と左側壁２４とが近づく方向（図８（ｂ）の矢印６５で示す方向）に作用する外力を受ける。この外力に対抗し得る剛性が前側壁２１に無い場合は、Ｕ字フレーム６０の両端部６１が互いに接近する方向に撓まされる。これに伴い、上端１６Ｃ及び上端１６Ｄの前側壁２１側の端部同士が接近して、コンテナ本体１２が変形される。この場合、コンテナ１０が変形して、コンテナ本体１２の容積に変動を来すことになり好ましくない。
【００５４】
本第１実施形態では、図６に示されるように、屈曲部４０の裏面７２に、コンテナ本体１２の撓みを防止するための補強バー７０が設けられている。上記補強バー７０は、Ｕ字フレーム６０の両端部６１に設けられた各座６２（図５参照）を結ぶ線分と補強バー７０の軸線とが一致するように配設されている（図８参照）。
【００５５】
上記補強バー７０は、図６に示されるように、シート片７１によって屈曲部４０の裏面７２に取り付けられている。具体的には、シート状の合成樹脂からなる細幅のシート片７１を屈曲部４０の幅方向に沿うようにして、シート片７１の短手方向の両端を屈曲部４０の裏面７２に溶着し、シート片７１と屈曲部４０の裏面７２との間に形成された間隙に上記補強バー７０を挿通することによって、補強バー７０が屈曲部４０の裏面７２に取り付けられる。この補強バー７０は、例えば、ステンレススチールや合成樹脂などのストレート状の部材から構成され得る。本第１実施形態では、上記Ｕ字フレーム６０と同様に、断面が円形の丸棒部材からなる補強バー７０が用られる。この補強バー７０は、シート片７１の長手方向の長さよりも長く、Ｕ字フレーム６０の両端部６１に設けられた各座６２（図５参照）の離間距離よりも若干短く設定されている。したがって、コンテナ１０が自然な状態、すなわちコンテナ本体１２に右側壁２３と左側壁２４とが互いに近づく方向の外力が作用していない状態では、補強バー７０の端部７３が上記座６２に引っ掛かることはない。
【００５６】
図７は、補強バー７０の端部７３が詳細に示された拡大詳細図である。同図に示されるように、補強バー７０の端部７３は、先端に向けて先細りとなるようにテーパー状に加工されたテーパー部７４と、先端が球面に加工された球面部７５とを有する。テーパー部７４の最小径、すなわちテーパー部７４の先端側の外径Ｄ２は、孔６４の内径Ｄ１（図５参照）よりも小さく設定されている。また、テーパー部７４の最大径、すなわちテーパー部７４の基端側の外径Ｄ３は、孔６４の内径Ｄ１よりも大きく設定されている。要するに、内径Ｄ１、外径Ｄ２および外径Ｄ３それぞれには、Ｄ２＜Ｄ１＜Ｄ３の関係が成立している。したがって、補強バー７０の端部７３が座６２に形成された孔６４に挿入されたとしても、先端の球面部７５は孔６４に進入するが、テーパー部７４が所定の位置で孔６４に当接して、それ以上の進入が規制される。
【００５７】
図８は、前側壁２１が起立姿勢に保持されたコンテナ本体１２におけるＵ字フレーム６０及び補強バー７０の位置関係を示す模式図であって、同図の（ａ）は、コンテナ本体１２が変形される前の状態が示され、同図の（ｂ）は、コンテナ本体１２が矢印６５の方向に変形された状態が示されている。なお、同図では、Ｕ字フレーム６０及び補強バー７０が実線で示され、その他の部分が仮想線（二点鎖線）で示されている。図８に示されるように、本コンテナ１０には、後側壁２２、右側壁２３、左側壁２４の上端部１６Ｂ，１６Ｃ，１６Ｄに沿ってＵ字フレーム６０が設けられている。そのため、コンテナ１０の剛性が向上して、コンテナ１０の使い勝手が一層良くなる。また、Ｕ字フレーム６０の両端部６１の剛性が劣り、コンテナ本体１２が変形しやすい傾向にあるが、Ｕ字フレーム６０が矢印６５で示す方向に変形しようとしても、補強バー７０がこれを規制する。言い換えれば、Ｕ字フレーム６０及び補強バー７０によって、外周壁２０の上端部１６に、略矩形の補強フレームが形成される。これにより、Ｕ字フレーム６０の変形が抑えられる。したがって、コンテナ１０が持ち上げられたり、コンテナ１０に用具が収容されたとしても、コンテナ本体１２は大きく変形しない。
【００５８】
また、Ｕ字フレーム６０は、補強バー７０の端部７３が当接される座６２を備えている。この座６２は、コンテナ本体１２が変形した場合に、補強バー７０の両端部７３を受け止める。したがって、コンテナ本体１２が変形しても、補強バー７０の両端部７３がコンテナ本体１２の側壁を押し付けて、コンテナ本体１２を傷付けることはない。
【００５９】
また、Ｕ字フレーム６０は、断面が円形である線材から構成されているから、曲げ加工が容易である。したがって、Ｕ字フレーム６０を容易且つ安価に製造することができる。また、上記線材の先端が、右側壁２３、左側壁２４に沿って環状に湾曲されることにより、上記座６２が形成されている。そのため、座６２は、中央に孔６４を有するドーナツ状に形成される（図５参照）。しかも、線材の断面が円形であるから、上記孔６４を区画する面は、周囲から内側へ滑らかに入り込む曲面となる。したがって、上記補強バー７０と上記座６２とが相対的に接近した場合は、補強バー７０の端部７３が上記曲面に沿って座６２の内側に案内される。その結果、補強バー７０は、一層安定してＵ字フレーム６０の両端部６１間に配置される。
【００６０】
以下、図９が参照されつつ、上述の第１実施形態に係るコンテナ１０の変形例について説明される。ここに、図９は、上述の第１実施形態に係るコンテナ１０の変形例のコンテナ８０の斜視図である。
【００６１】
コンテナ８０は、概ね第１実施形態に係るコンテナ１０と同一の構成を有する。したがって、コンテナ８０にも、コンテナ１０と同様に、右側壁２３及び左側壁２４それぞれの前面側に、ベローズ状（蛇腹状）の伸縮部３２が設けられている。なお、この変形例では、コンテナ８０の構成のうち、上述のコンテナ１０の構成と共通する構成についてはコンテナ１０の各構成に付された符号と同符号を図１０に付して表すことにより、その詳細な説明を省略する。
【００６２】
コンテナ８０が上述のコンテナ１０と相違するところは、コンテナ本体１２の上面に対して同一面上に覆い被せられる上蓋８１（蓋体の一例）が設けられている点と、この上蓋８１の前端に上記蓋体８１から垂れ下がるようにシート片８２が設けられている点と、固定具４１に代えて面ファスナーが設けられている点にある。
【００６３】
上蓋８１は、コンテナ本体１２と同じ材質で形成された合成樹脂製のシート部材である。この上蓋８１は、第１実施形態の上蓋１１と略同様の構成を有するものであり、ここでは、その詳細な説明は省略される。本変形例の上蓋８１は、第１実施形態の上蓋１１が厚みのあるものであるのに対し（図２参照）、シート部材のみで構成された薄肉状のものである点で上蓋１１とは異なる。
【００６４】
シート片８２は、上蓋８１の前端が延設されてなる。このシート片８２は、上蓋８１の幅方向に渡って設けられている。シート片８２の裏面には、面ファスナーを構成する３つのループシート８３Ｂが所定間隔を隔てて貼り付けられている。また、コンテナ本体１２には、面ファスナーを構成するフックシート８３Ａが貼り付けられている。このフックシート８３Ａは、コンテナ本体１２の幅方向に渡って設けられている。フックシート８３Ａは、上蓋８１が閉じられて開口１７を閉塞する姿勢（閉塞姿勢）にされたときに、上記ループシート８３Ｂが側壁２１に当接する箇所に設けられている。したがって、上蓋８１が閉塞姿勢にされた場合に、シート片８２が折り曲げられてその裏面が側壁２１に当接すると、ループシート８３Ｂがフックシート８３Ａと係合する。これにより、伸縮部３２が収縮された状態が面ファスナーによって保持される。
【００６５】
このように構成されたコンテナ８０であっても、上述のコンテナ１０と同じように、コンテナ８０の外周壁２０の前面の開口から容易に用具を出し入れすることができる。
【００６６】
《第２実施形態》
図１０は、本発明の第２実施形態に係るタックルバッグ１００（多機能容器の一例）の斜視図である。本タックルバッグ１００は、主として、各種釣り道具を収容するための容器として使用される。以下、タックルバッグ１００の構成について詳述される。
【００６７】
タックルバッグ１００は、大別すると、内部にタックル収容室が区画されたバッグ本体１１２と、蓋１１１と、把手１０３，１０４と、肩掛けベルト１０５とを備えて構成されている。上記サイドポケット１０８は、バッグ本体１１２の前側壁２１に設けられている。また、バッグ本体１１２の前側壁２１及び後側壁２２には、把手１０３，１０４が取り付けられている。また、バッグ本体１１２の右側壁２３から左側壁２４へ架け渡すように肩掛けベルト１０５が取り付けられている。釣人は、上記把手１０３，１０４を持ち手とすることで、タックルバッグ１００を簡単に持ち運ぶことができ、また、肩掛けベルト１０５を肩から掛けることにより、タックルバッグ１００を簡単に担ぎ上げることができる。上記バッグ本体１１２は、サイドポケット１０８、把手１０３，１０４、肩掛けベルト１０５が取り付けられている点を除けば、上述の第１実施形態に係るコンテナ本体１２と同じ構成を有する。したがって、本第２実施形態では、本タックルバッグ１００の構成のうち、上述のコンテナ１０の構成と共通する構成についてはコンテナ１０の各構成に付された符号と同符号を図１０に付して表すことにより、その詳細な説明を省略する。
【００６８】
このように構成されたタックルバッグ１００であれば、釣人は、前側壁２１を図４（ｃ）に示される倒伏姿勢に変化することで、バッグ本体１１２に収容された釣り道具を容易に出し入れすることができる。もちろん、乗用車の荷室にタックルバッグ１００を載置した状態であっても、タックルバッグ１００に釣り道具を収容する場合は、地面から乗用車の荷室高さよりも高い位置まで釣り道具を持ち上げることを要しないため、釣人は簡単に釣り道具をバッグ本体１１２に出し入れすることができる。
【図面の簡単な説明】
【００６９】
【図１】図１は、本発明の第１実施形態に係るコンテナ１０の斜視図であって、開口１７が上蓋１１で閉塞された状態を示す。
【図２】図２は、本発明の第１実施形態に係るコンテナ１０の斜視図であって、開口１７が開放された状態を示す。
【図３】図３は、図１における切断線III−IIIの断面図である。
【図４】図４は、本発明の第１実施形態に係るコンテナ１０の側面図であって、前側壁２１が取り得る姿勢を示す。
【図５】図５は、Ｕ字フレーム６０の構成を示す斜視図である。
【図６】図６は、補強バー７０の構成を示す図である。
【図７】図７は、補強バー７０の端部７３が詳細に示された拡大詳細図である。
【図８】図８は、前側壁２１が起立姿勢に保持されたコンテナ本体１２におけるＵ字フレーム６０及び補強バー７０の位置関係を示す模式図である。
【図９】図９は、上述の第１実施形態に係るコンテナ１０の変形例のコンテナ８０の斜視図である。
【図１０】図１０は、本発明の第２実施形態に係るタックルバッグ１００の斜視図である。
【符号の説明】
【００７０】
１０・・・コンテナ
１１・・・上蓋
１２・・・コンテナ本体
１４・・・底板
１６・・・上端部
１７・・・開口
２０・・・外周壁
２１・・・前側壁
２２・・・後側壁
２３・・・右側壁
２４・・・左側壁
２５・・・長辺縁
２６・・・短辺縁
３２・・・伸縮部
３５・・・スライドファスナー
４０・・・屈曲部
６０・・・Ｕ字フレーム
６１・・・座
７０・・・補強バー
８０・・・コンテナ
１００・・・タックルバッグ
【図１】
2008074453.tif 000003
【図２】
2008074453.tif 000004
【図３】
2008074453.tif 000005
【図４】
2008074453.tif 000006
【図５】
2008074453.tif 000007
【図６】
2008074453.tif 000008
【図７】
2008074453.tif 000009
【図８】
2008074453.tif 000010
【図９】
2008074453.tif 000011
【図１０】
2008074453.tif 000012